(57)【要約】【課題】  投影部で投影する映像データと、映像データに応じた音声データからなるコンテンツを作成することのできるプロジェクタを提供する。【解決手段】  プロジェクタ１０に、音声データを収集するためのマイクロフォン１２を設け、これを投影部と連動して動作させ、投影部で投影する映像データと、当該映像に対する発表者の説明や参加者のコメントである音声データとを併せて記録手段を用いて記録する。これにより、映像データと、映像データに応じた音声データからなるコンテンツを作成することができる。【選択図】      図３
2006138972.tif 000002
【特許請求の範囲】
【請求項１】
映像を投影する投影部と、
前記投影部と連動して動作し、前記映像に応じた音声を集音する集音部と、
前記投影部が投影する映像データ及び前記集音部で集音された音声データを併せて記録するための記録手段と
を備えることを特徴とするプロジェクタ。
【請求項２】
前記記録手段は、接続された他の機器で前記映像データ及び前記音声データを記録するために、前記他の機器に前記映像データ及び前記音声データを出力するための出力端子であることを特徴とする請求項１記載のプロジェクタ。
【請求項３】
前記記録手段は、取り外し可能な記録媒体に前記映像データ及び前記音声データを出力することを特徴とする請求項１記載のプロジェクタ。
【請求項４】
請求項１記載のプロジェクタにおいて、
前記集音部から入力された音声データを再生するスピーカをさらに備えることを特徴とするプロジェクタ。
【請求項５】
請求項１記載のプロジェクタにおいて、
前記投影部が設けられた本体と、
前記本体に取り付けられたアームと
をさらに備え、前記集音部は前記アームの自由端近傍に設けられることを特徴とするプロジェクタ。
【請求項６】
請求項１記載のプロジェクタにおいて、
前記投影部の投影動作に起因してノイズを発生するノイズ源を有し、
前記集音部は前記ノイズ源からの距離が最も離れた遠端部近傍に設けられることを特徴とするプロジェクタ。
【請求項７】
前記ノイズ源は、前記投影部の発する熱を冷却するためのファンであることを特徴とする請求項６記載のプロジェクタ。
【請求項８】
請求項１記載のプロジェクタにおいて、
他のプロジェクタと通信するための通信部をさらに備え、
前記映像データは、前記他のプロジェクタが有する撮像部で撮影されたものであり、前記他のプロジェクタから前記通信部により受信することを特徴とするプロジェクタ。
【請求項９】
請求項８記載のプロジェクタにおいて、
撮像するための撮像部をさらに備え、
前記通信部は、前記撮像部で撮像した映像データを前記他のプロジェクタに送信することを特徴とするプロジェクタ。
【発明の詳細な説明】
【技術分野】
【０００１】
本発明は、プロジェクタに関する。
【背景技術】
【０００２】
プロジェクタは、例えばＰＣ（Ｐｅｒｓｏｎａｌ  Ｃｏｍｐｕｔｅｒ）などから入力された映像を、スクリーン等に投影するための機器である。これにより、通常のＣＲＴ（Ｃａｔｈｏｄｅ  Ｒａｙ  Ｔｕｂｅ）等のディスプレイに表示させるよりも、多くの人が同時に当該映像を見ることができる。会議等において、プロジェクタでスライドを投影しながら、プレゼンテーションを行う場合等に使用されている。
【０００３】
また近年、プロジェクタ部（投影部）を備えたビデオカメラ装置が考えられている（例えば特許文献１）。特許文献１記載のビデオカメラ装置では、例えば撮像部で撮像した映像データ及びマイクロフォンで集音した音声データを、投影部及びスピーカで再生することができる。
【０００４】
【特許文献１】特開２００１−０２４９２６号公報
【発明の開示】
【発明が解決しようとする課題】
【０００５】
ところで、会議等でプロジェクタを使用する場面において、発明者が発表で使用するスライドや動画映像等の投影内容と併せて、それに対する発表者の説明や会議参加者によるディスカッション等の音声データを収集したい場合がある。より具体的には、例えば発表者が１０枚のスライドを使用して発表する場合に、それぞれのスライドに対して、発表者がどのような説明を行い、会議参加者がそれに対してどのようなコメントや質問をしたかといった議事録を作成したい場合である。
【０００６】
しかしながら、特許文献１記載のビデオカメラ装置では、マイクロフォンは専ら撮像部と連動して使用され、投影部と連動させて使用することができないため、スライド等の映像データ及びそれに対する発表者の声などの音声データを収集するには、投影部で投影した映像を撮像部で撮像し、それと共にマイクロフォンで発表者の音声データを収集することとなる。このような場合、即ち投影部で投影した映像をビデオカメラ装置で撮像する場合には、輝度や解像度の問題で投影したスライド等の映像が識別しづらかったり、発表者が邪魔でスライドが見えづらかったりする問題があった。
【０００７】
そこで本発明は、投影部で投影する映像データと、映像データに応じた音声データからなるコンテンツを作成することのできるプロジェクタを提供することを目的とする。
【課題を解決するための手段】
【０００８】
上記目的を達成するために、映像を投影する投影部と、前記投影部と連動して動作し、前記映像に応じた音声を集音する集音部と、前記投影部が投影する映像データ及び前記集音部で集音された音声データを併せて記録するための記録手段とを備えることを特徴とする。
【発明の効果】
【０００９】
本発明によれば、投影部で投影する映像データと、映像データに応じた音声データからなるコンテンツを作成することのできるプロジェクタを提供することができる。
【発明を実施するための最良の形態】
【００１０】
以下、本発明のプロジェクタについて、図面を参照しながら説明する。
【実施例１】
【００１１】
図１は、本発明の実施例１に係るプロジェクタの外観を示す斜視図である。プロジェクタ１０は、投影用レンズ１１、マイクロフォン１２、排気口１３を備えている。
【００１２】
投影用レンズ１１は、プロジェクタ１０に入力された映像を拡大して投影するためのものである。
マイクロフォン１２は、例えば会議での参加者の発言等の、音声データを入力するための機構である。
排気口１３は、プロジェクタ１０内部の温度上昇を抑制するため、空気が通り抜けられるようプロジェクタ１０の側面部１４に多数設けられた穴である。
図２は、プロジェクタ１０の上面を示す図である。
図２に示すように、プロジェクタ１０は、内部にファン２１が設けられている。ファン２１は、プロジェクタ１０内部の温度上昇を抑制するため、排気口１３からの空気の流れが促進されるように、排気口１３近辺に設けられる。
【００１３】
マイクロフォン１２は、プロジェクタ１０の上面に設けられている。この際、マイクロフォン１２は、ファン２１からの距離が最も遠い遠端部２２近傍に配置されている。
【００１４】
図３は、プロジェクタ１０の構成を示すブロック図である。プロジェクタ１０は、ＰＣ等の外部機器から信号を受け取るための入力部３１、マイクロフォン１２、全体の制御を行う制御部３２、記録部３３、スピーカ３４、投影部３５を備える。
【００１５】
入力部３１は、ケーブルを介して例えばＰＣ等に接続され、投影する映像データや、出力する音声データ等の入力を受け付ける。
制御部３２は、プロジェクタ１０内の各機構（入力部３１、マイクロフォン１２、記録部３３、スピーカ３４、投影部３５）の制御を行う。
記録部３３は、制御部３２の制御の下、マイクロフォン１２から入力された音声データや、入力部３１から入力した音声データ及び映像データを保存する。記録部３３に格納したデータは、制御部３２の下、音声データはスピーカ３４から、映像データは投影部３５から出力する。
【００１６】
スピーカ３４は、マイクロフォン１２から入力された音声データ、入力部３１から入力された音声データ、若しくは記録部３３に記録された音声データ等を再生する。
【００１７】
投影部３５は、入力部３１から入力された、例えば動画やスライド等の映像データをスクリーン等に投影するための機構である。スクリーン等に投影するために光源を持ち、この発熱を低減するため、投影部３５の近傍に排気口１３及びファン２１が配置される。尚、図１で示した投影用レンズ１１は、投影部３５の一部をなす。
【００１８】
次に、プロジェクタ１０を用いた議事録作成の流れについて説明する。図４は、プロジェクタ１０を用いて議事録を作成する際の処理の流れを示すフローチャートである。尚ここで議事録とは、投影部３５で投影する映像データと、それに対する発表者や会議参加者の音声をマイクロフォン１２で収集した音声データとから構成されるコンテンツを指す。
【００１９】
まず、プロジェクタ１０の電源を投入する（ステップ４０１）。すると、投影部３５及びマイクロフォン１２が同時に立ち上がる（ステップ４０２）。投影部３５及びマイクロフォン１２が立ち上がった後、記録開始ボタン（図１乃至図３に図示せず）を押すと、入力部３１から入力され、投影部３５に投影される映像データ及びマイクロフォン１２が収集する音声データの記録部３３への記録が開始する（ステップ４０３）。このとき、入力部３１から入力される映像データ及びマイクロフォン１２が収集する音声データを合わせ、制御部３２による制御の下で例えばＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）形式にエンコードされ、映像データ及び音声データから構成されるコンテンツ、即ち議事録ファイルの作成が開始される。記録開始ボタンを再度押せば、記録が終了し、議事録となるファイルが記録部３３に作成される（ステップ４０４）。この議事録ファイルは、再生ボタン（図１乃至図３に図示せず）を押すことで、投影部３５及びスピーカ３４を通して再生することが可能である。
【００２０】
以上説明したように、本実施例に係るプロジェクタ１０は、投影部で投影する映像データと、それに対する発表者や会議参加者等による音声データとからなるコンテンツ（議事録）を作成し、記録部３３に記録することができる。音声データだけであれば、例えばボイスレコーダを使用することも可能であるが、マイクロフォン１２で収集する音声データは、投影する映像データと合わせて記録されるので、例えばボイスレコーダ等による音声データだけのものよりも、より詳細な議事録とすることができる。また、ビデオカメラ等によって撮影した場合のように投影した後の映像ではなく、投影前の映像データを記録することができるので、議事録における映像データの解像度や輝度が高い、視認性に優れたものとすることが可能である。
【００２１】
また、プロジェクタ１０を使用し、会議室等での参加者がいない場所で、スライドとそれに対する発表者の説明とを記録すれば、プレゼンテーションコンテンツが作成できる。このようなプレゼンテーションコンテンツが作成されれば、発表者がその場にいなくとも、当該スライドを用いたプレゼンテーションを行うことが可能である。プレゼンテーションにおいて、最も大きな制約は発表者及び聴衆が同時に１箇所に集まらなければならないという場所的制約であるので、このような制約を回避することが可能となるこのようなプレゼンテーションコンテンツの作成は、非常に有益である。
【００２２】
プロジェクタ１０は、一般に会議室の中心等に置くことが多いため、マイクロフォン１２をプロジェクタ１０に内蔵させることにより、部屋全体の音声を幅広く集音できる効果がある。また投影用レンズ１１からスクリーンまでにある程度の距離が必要となるので、つまり比較的会議等の参加者に近い位置に設置されるので、より参加者の音声を拾いやすくなる。
【００２３】
マイクロフォン１２をプロジェクタ１０と一体に設けることで、別途マイクロフォンやケーブル等を用意する必要が無く、取り付け等の作業も不要となる。
本実施例では、マイクロフォン１２はノイズ源であるファン２１から最も離れた遠端部２２近傍に設けられているので、ノイズ音の集音を低減することができる。プロジェクタ１０において、投影部３５で使用される光源は大きな熱源なので、光源及びそれに照らされる部品等の冷却のためにファン２１を備えているが、ファン２１は大きなノイズ発生源である。よって、このことを配慮してマイクロフォン１２の配置を決定する必要がある。特に、プロジェクタ１０を会議に使用する場合等、広範囲の音声を収集する際には、マイクロフォン１２の集音感度を高くする必要があるので、この問題は特に顕著となる。位置を考慮せずにマイクロフォン１２を配置すると、拾った音声データはファン音等のノイズばかりで、肝心の会議の音声はほとんど聞こえないということにもなりかねない。音声は、その音源からの距離に反比例して小さくなるので、本実施例のように、ノイズ源であるファン２１からの距離が最も離れた遠端部２２近傍にマイクロフォン１２を配置すれば、このような問題が抑制される。
【００２４】
集音部は、端子を設け、ケーブルを介して外部のマイクロフォンを繋げるようにしたものでもよい。この場合には、例えば使用する場面等によってマイクロフォンの種類を変えることが可能となる。また、無線を介してマイクロフォンと通信してもよく、この場合には、マイクロフォンの使用位置をより柔軟に変えることができる。
【００２５】
また、他に出力部を設け、記録部３３に記録したデータを外部に出力できるようにしても良い。この形態としては、ＳＤ（Ｓｅｃｕｒｅ  Ｄｉｇｉｔａｌ）カード等の取り外し可能な記録媒体に記録する方法や、有線若しくは無線でＰＣ等の外部機器に出力する方法が考えられる。この場合には、プロジェクタ１０よりも軽量な記録媒体等でデータを持ち運ぶことができ、また、外部機器で当該データを編集することも可能となるので、より利便性が向上する。この場合には、必ずしもスピーカ３４は必要ない。
【００２６】
若しくは、他に出力部を設け、マイクロフォン１２から入力された音声データを、直接出力部から出力できるようにしても良い。この場合にはスピーカ３４のみならず、記録部３３の構成も省略することができる。
【００２７】
スピーカ３４は、必ずしもプロジェクタ１０と一体に備える必要はないが、一体に備えれば、プロジェクタ１０の他にスピーカやケーブルを用意する必要も無く、設置にかかる手間を軽減することができる。
【００２８】
また、本実施例では、ノイズ源としてファン２１のみを考慮していたが、ファン２１以外のノイズ源の方が、より大きなノイズを発生することも考えられる。例えば図５は、排気口１３がファン２１よりも大きなノイズ源であった場合の例である。尚この例において、ファン２１は排気口１３の近傍に配置されている必要は無い。排気口１３は、その構造によっては、例えば笛のように大きな風切り音が発生することが考えられる。この場合も、排気口１３から最も遠い遠端部４１近傍にマイクロフォン１２を配置すれば、マイクロフォン１２が拾うノイズ音を低減することができる。
【００２９】
本実施例では、ノイズ源であるファン２１から最も遠い遠端部２２近傍にマイクロフォン１２を配置していたが、マイクロフォン１２の集音感度及びファン２１の発するノイズ音の大きさによっては、十分な距離さえ保っていれば、必ずしも最も遠い位置に配置せずとも良い。マイクロフォン１２が拾うノイズ音が、会議の参加者の発言等、必要な音声に比して十分小さければよいので、マイクロフォン１２の感度が低ければノイズ音も拾いにくくなるので、それ程遠くに離す必要は必ずしも無いし、また、ファン２１の発するノイズ音が十分小さくても、それ程遠くに配置する必要は必ずしも無い。しかし、このような場合であっても、ファン２１から最も距離の離れた遠端部２２近傍に配置した場合が最も効果が高いことは言うまでもない。
【００３０】
また、図６のように、プロジェクタ１０の本体から引き伸ばされたケーブル５１の先端にマイクロフォン１２を設けることもできる。図６（ａ）はケーブル５１をプロジェクタ１０内に収納した場合の図であり、図６（ｂ）は、ケーブル５１をプロジェクタ１０の本体から引き出して、マイクロフォン１２をプロジェクタ１０から離れた位置に配置した場合の図である。尚、プロジェクタ１０の本体、ケーブル５１、マイクロフォン１２は一体として設けられており、別個に取り外して使用できるものではない。このように、マイクロフォン１２をケーブル５１を介して本体から離して使用できるようにすれば、ノイズ源であるファン２１からより遠くにマイクロフォン１２を配置することができ、ノイズ音をさらに低減することが可能である。また、図６のようにマイクロフォン１２を引き伸ばせるようにすれば、音源により近づけることが可能であるので、より鮮明に目的の音声を収集することができる。
【実施例２】
【００３１】
図７は、本発明の実施例２に係るプロジェクタを用いて構成されるテレビ会議システムの構成を示す図である。プロジェクタ６０及びプロジェクタ６１が、インターネット６２を介して接続されている。尚、プロジェクタ６０とプロジェクタ６１は同様の構成を持つ。
【００３２】
プロジェクタ６０の持つマイクロフォンで集音した会議室の音声データや、ビデオカメラ部で撮影した会議室の映像データを、遠方の会議室等に設置されたプロジェクタ６１に送信し、プロジェクタ６１で拡声及び投影する。同様に、プロジェクタ６１で集音した音声データや撮影した映像データは、プロジェクタ６０に送信され、拡声及び投影される。
【００３３】
図８は、プロジェクタ６０の外観を示す斜視図である。プロジェクタ６０は、本体７０１とカメラ台７１１から構成される。
本体７０１は、投影用レンズ７０２、カメラ取付側面部７０３、及びファン取付側面部７０４を備える。
投影用レンズ７０２は、プロジェクタ６０に入力された映像を拡大して投影するためのものである。
カメラ取付側面部７０３は、本体７０１の一側面を構成する。カメラ取付側面部７０３には、カメラ台７１１が取り付けられる。
ファン取付側面部７０４は、本体７０１のカメラ取付側面部７０４と対向する側面に設けられている。プロジェクタ６０内部の温度上昇を抑制するため、空気が通り抜けられるように設けられた排気口（図示せず）が空けられている。尚、この排気口近傍に、プロジェクタ６０の持つ最も大きなノイズ発生源であるファン（図示せず）が設けられている。
【００３４】
カメラ台７１１は、基台７１２、基台７１２に対して回動可能なように設けられた腕を形成する支持アーム７１３、アーム７１４及びカメラ取付部７１５、カメラ取付部７１５に設けられたビデオカメラ部７１６及びマイクロフォン７１７を持つ。
【００３５】
基台７１２は、本体７０１のカメラ取付側面部７０３に取り付けられる。
支持アーム７１３は、基台７１２に対して垂直を成す軸を中心として回動可能に取り付けられる。
アーム７１４は、棒状の形を成し、その長手方向の一端が支持アーム７１３に対して回動可能に取り付けられる。
カメラ取付部７１５は、アーム７１４に対して回動可能に取り付けられる。カメラ取付部７１５が取り付けられるのは、支持アーム７１３と反対側のアーム７１４の他端である。
【００３６】
カメラ取付部７１５には、ビデオカメラ部７１６及びマイクロフォン７１７が設けられる。尚、支持アーム７１３、アーム７１４、カメラ取付部７１５は、それぞれの回動部を動かすことにより、本体７０１と一体的な形状とすることができ、また、回動部を動かすことにより、ビデオカメラ部７１６及びマイクロフォン７１７がより適切な位置で撮像及び集音できる位置に配置することが可能である。
【００３７】
図９は、プロジェクタ６０の構成を示すブロック図である。プロジェクタ６０は、外部から映像データや音声データの入力を受け付けるための入力部８１、ビデオカメラ部７１６、マイクロフォン７１７、プロジェクタ６０全体を制御する制御部８２、プロジェクタ６１と通信を行う通信部８３、投影部８４、スピーカ８５、記録部８６を備える。
【００３８】
入力部８１は、ケーブルを通して例えばＰＣ等に接続され、投影する映像データや、出力する音声データ等の入力を受け付ける。
マイクロフォン７１７は、プロジェクタ６０が使用されている例えば会議での参加者の発言等の、音声データを入力するための機構である。支持アーム７１３、アーム７１４、カメラ取付部７１５からなる腕の先端に設けられる。
【００３９】
ビデオカメラ部７１６は、例えばプロジェクタ６０の設置された会議室内の様子等を撮影するためのものである。マイクロフォン７１７と同様に、カメラ取付部７１５に設けられる。
【００４０】
制御部８２は、プロジェクタ６０内の各機構（入力部８１、ビデオカメラ部７１６、マイクロフォン７１７、通信部８３、投影部８４、スピーカ８５、及び記録部８６）の制御を行う。
【００４１】
通信部８３は、ビデオカメラ部７１６で撮像した会議室内の映像データ及びマイクロフォン７１７で集音した音声データを、インターネット６２を介してプロジェクタ６１に送信するためのものである。また、プロジェクタ６１から、映像データや音声データを受信する。
【００４２】
投影部８４は、プロジェクタ６１から送信され通信部８３で受信した例えばプロジェクタ６１の使用されている会議室の映像や、若しくは入力部８１から入力された動画やスライド等をスクリーンに投影するための機構である。スクリーン等に投影するために光源を持ち、この発熱を低減するため、投影部８４の近辺にファン（図示せず）が配置される。
【００４３】
スピーカ８５は、プロジェクタ６１から送信され通信部８３で受信した、例えばプロジェクタ６１の使用されている会議室の音声や、若しくは入力部８１から入力された音声データ、マイクロフォン７１７で集音した音声データ等を拡声出力するための機構である。
【００４４】
記録部８６は、プロジェクタ６１から通信部８３で受信し、投影部８４で投影する映像データ、同じくプロジェクタ６１から通信部８３で受信した音声データ、及びマイクロフォン７１７で集音した音声データを記録する。
【００４５】
テレビ会議として使用する場合には、図６のようにしてプロジェクタ６０及び６１をインターネット６２を介して接続する。プロジェクタ６０の持つビデオカメラ部７１６で撮像した映像データ及びマイクロフォン７１７で集音した音声データを通信部８３により、プロジェクタ６１の持つ通信部に送り、プロジェクタ６１の投影部で映し出す。同様に、プロジェクタ６１の持つビデオカメラ部及びマイクロフォンで収集した映像データ及び音声データをプロジェクタ６０の通信部８３から受け取り、投影部８４及びスピーカ８５で当該データを再生する。これにより、プロジェクタ６０側ではプロジェクタ６１の設置された会議室の模様が、プロジェクタ６１側ではプロジェクタ６０の設置された会議室の模様が再生されることになるので、テレビ会議システムとして利用することができる。また、この会議の模様は、記録部８６に記録する。
【００４６】
図１０は、テレビ会議としてプロジェクタ６０を使用し、その模様を議事録として記録する場合の処理の流れについて説明するフローチャートである。
まず、プロジェクタ６０の電源を投入する（ステップ１０１）。電源が投入されると、投影部８４及びマイクロフォン７１７が起動する（ステップ１０２）。次に、通信部８３のプロジェクタ６１との間の接続を確立させ（ステップ１０３）、プロジェクタ６１との通信を開始する（ステップ１０４）。プロジェクタ６０とプロジェクタ６１との通信では、プロジェクタ６０のビデオカメラ部７１６での映像及びマイクロフォン７１７からの音声がプロジェクタ６１に送られ、プロジェクタ６１からの映像及び音声が投影部８４及びスピーカ８５に送られる。このプロジェクタ６１から送られてくる映像及び音声は、例えば、ある製品を提示し、それをビデオカメラ部で撮像した映像データと、その説明に関する音声データ等である。プロジェクタ６１から受信した映像データ及び音声データは、投影部８４及びスピーカ８５により再生される。
【００４７】
テレビ会議が開始し、その内容である映像データや音声データを記録したい場合には、記録ボタン（図８及び図９に図示せず）を押すと、記録部８６への記録を開始する（ステップ１０５）。このとき記録されるのは、プロジェクタ６１から通信部８３で受信した映像データ及び音声データ、及びそれに対する会議室内の反応であるマイクロフォン７１７で収集した音声データである。これらは、併せてＭＰＥＧ２等の形式でエンコードされ、議事録ファイルとして記録部８６に記録される。
【００４８】
テレビ会議が終了すれば、もう一度記録ボタンを押して記録を終了し（ステップ１０６）、プロジェクタ６１との間の接続も切断する（ステップ１０７）。これにより、記録部８６に議事録ファイルが作成される。この議事録ファイルは、再生ボタン（図８及び図９に図示せず）を押すことにより再生される。
【００４９】
以上説明したように、本実施例に係るプロジェクタ６０は、インターネット６２を介して同様の構成を持つプロジェクタ６１と接続することにより、テレビ会議システムを提供することができる。
【００５０】
また、記録部８６をもつことにより、当該テレビ会議の内容を議事録として保存することが可能である。例えば、プロジェクタ６１のビデオカメラ部で撮像した例えば会議の対象である製品等の映像データと、プロジェクタ６１のマイクロフォンで行われるそれに関する説明、及びプロジェクタ６０のマイクロフォン７１７から収集されるそれに対するコメントや質問内容等の音声データを一緒にして、議事録として記録部８６に記録することができる。
【００５１】
本実施例によれば、ビデオカメラ部７１６とマイクロフォン７１７を一体的にカメラ取付部７１５上に形成することにより、被写体にビデオカメラ７１６を向けると、自ずからマイクロフォン７１７もその方向を向くことなり、指向性が向上して集音効果が向上する。
【００５２】
また、本実施例では、支持アーム７１３、アーム７１４及びカメラ取付部７１５から成る腕の先端にマイクロフォン７１７を配置することで、本体１０からより離れた位置でマイクロフォン７１７を使用することが可能であるので、ノイズの集音を低減することが可能である。
【００５３】
尚、本実施形態では使用しているプロジェクタは２台であるが、複数台とのやり取りをすることも可能である。この場合には、投影部８４では、画面を複数に分割して投影する等の工夫が必要となる。
【００５４】
プロジェクタ６０を純粋にテレビ会議用として用いる場合、つまり通信部７７から受信した映像及び音声のみを投影部８４及びスピーカ８５で再生する場合には、必ずしも入力部８１は必要ではない。これにより、より簡易な構成とすることができ、プロジェクタ６０の軽量化等を図ることができる。
【００５５】
また、通信用の端子を設け、例えば携帯電話等に接続して外部に通信部を設けるようにしても良い。この場合には、通信部８３は無くとも良い。
【図面の簡単な説明】
【００５６】
【図１】本発明の実施例１に係るプロジェクタの外観を示す斜視図。
【図２】本発明の実施例１に係るプロジェクタのの上面を示す図。
【図３】本発明の実施例１に係るプロジェクタの構成を示すブロック図。
【図４】本発明の実施例１に係るプロジェクタを使用して議事録を作成する際の処理の流れを示すフローチャート。
【図５】本発明の実施例１に係るプロジェクタの他の形態を示す斜視図。
【図６】本発明の実施例２に係るプロジェクタの他の形態を示す斜視図。
【図７】本発明の実施例２に係るプロジェクタを利用したテレビ会議システムの構成を示すブロック図。
【図８】本発明の実施例２に係るプロジェクタの斜視図。
【図９】本発明の実施例２に係るプロジェクタの構成を示すブロック図。
【図１０】本発明の実施例２に係るプロジェクタを使用して議事録を作成する際の処理の流れを示すフローチャート。
【符号の説明】
【００５７】
１０・・・プロジェクタ
１１・・・投影用レンズ
１２・・・マイクロフォン
１３・・・排気口
２１・・・ファン
２２・・・遠端部
３１・・・入力部
３２・・・制御部
３３・・・記録部
３４・・・スピーカ
３５・・・投影部
４１・・・遠端部
５１・・・ケーブル
６０、６１・・・プロジェクタ
６２・・・インターネット
８１・・・入力部
８２・・・制御部
８３・・・通信部
８４・・・投影部
８５・・・スピーカ
８６・・・記録部
７０１・・・本体
７０２・・・投影用レンズ
７０３・・・カメラ取付側面部
７０４・・・ファン取付側面部
７１１・・・カメラ台
７１２・・・基台
７１３・・・支持アーム
７１４・・・アーム
７１５・・・カメラ取付部
７１６・・・ビデオカメラ部
７１７・・・マイクロフォン
【図１】
2006138972.tif 000003
【図２】
2006138972.tif 000004
【図３】
2006138972.tif 000005
【図４】
2006138972.tif 000006
【図５】
2006138972.tif 000007
【図６】
2006138972.tif 000008
【図７】
2006138972.tif 000009
【図８】
2006138972.tif 000010
【図９】
2006138972.tif 000011
【図１０】
2006138972.tif 000012